(57)【特許請求の範囲】
【請求項１】
植物定植用の板断片を互いに直交する２つの方向に並べ、該２つの方向において前記板断片間の距離を調整することが可能な定植板部材であって、
前記２つの方向のうちの一の方向に前記板断片を並べてなる板断片ユニットを、前記２つの方向のうちの他の方向に複数並べて備えており、
複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、
前記第１ユニットにおいて前記一の方向に並ぶ前記板断片の間に介在し、前記一の方向における前記距離を調整する際に谷折りされる第２折り曲げ部と、
前記第２ユニットにおいて前記一の方向に並ぶ前記板断片の間に介在し、前記一の方向における前記距離を調整する際に山折りされる第３折り曲げ部とを有し、
前記他の方向において前記第２折り曲げ部の隣に前記第３折り曲げ部が配置され、
前記第２折り曲げ部と前記第３折り曲げ部とは、相互に隣接する面に傾斜した傾斜面をそれぞれ有し、
前記第３折り曲げ部の前記傾斜面は、前記第１折り曲げ部が拡げられた状態で、前記第２折り曲げ部の前記傾斜面の上側に位置して対向して傾斜しており、
前記第１折り曲げ部が山折りされるとき、前記第３折り曲げ部は、山折りされながら、谷折り状態にある前記第２折り曲げ部上を前記他の方向に沿ってスライドすることを特徴とする定植板部材。
【請求項２】
植物定植用の板断片を互いに直交する２つの方向に並べ、該２つの方向において前記板断片間の距離を調整することが可能な定植板部材であって、
前記２つの方向のうちの一の方向に前記板断片を並べてなる板断片ユニットを、前記２つの方向のうちの他の方向に複数並べて備えており、
複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、
前記第１ユニットにおいて前記一の方向に並ぶ前記板断片の間に介在し、前記一の方向における前記距離を調整する際に谷折りされる第２折り曲げ部と、
前記第２ユニットにおいて前記一の方向に並ぶ前記板断片の間に介在し、前記一の方向における前記距離を調整する際に山折りされる第３折り曲げ部とを有し、
前記他の方向において前記第２折り曲げ部の隣に前記第３折り曲げ部が配置され、
前記板断片、前記第１折り曲げ部、前記第２折り曲げ部又は前記第３折り曲げ部は、可撓性材料から成る部分を有し、
当該部分が薄く形成されて折り目を形成しており、
前記第１折り曲げ部が山折りされるとき、前記第３折り曲げ部は、山折りされながら、谷折り状態にある前記第２折り曲げ部上を前記他の方向に沿ってスライドすることを特徴とする定植板部材。
【請求項３】
植物定植用の板断片を互いに直交する２つの方向に並べ、該２つの方向において前記板断片間の距離を調整することが可能な定植板部材であって、
前記２つの方向のうちの一の方向に前記板断片を並べてなる板断片ユニットを、前記２つの方向のうちの他の方向に複数並べて備えており、
複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、
前記第１ユニットにおいて前記一の方向に並ぶ前記板断片の間に介在し、前記一の方向における前記距離を調整する際に谷折りされる第２折り曲げ部と、
前記第２ユニットにおいて前記一の方向に並ぶ前記板断片の間に介在し、前記一の方向における前記距離を調整する際に山折りされる第３折り曲げ部とを有し、
前記他の方向において前記第２折り曲げ部の隣に前記第３折り曲げ部が配置され、
前記板断片、前記第１折り曲げ部、前記第２折り曲げ部又は前記第３折り曲げ部は、蝶番で接続されて形成された折り目を有し、
前記第１折り曲げ部が山折りされるとき、前記第３折り曲げ部は、山折りされながら、谷折り状態にある前記第２折り曲げ部上を前記他の方向に沿ってスライドすることを特徴とする定植板部材。
【請求項４】
植物定植用の板断片を互いに直交する２つの方向に並べ、該２つの方向において前記板断片間の距離を調整することが可能な定植板部材であって、
前記２つの方向のうちの一の方向に前記板断片を並べてなる板断片ユニットを、前記２つの方向のうちの他の方向に複数並べて備えており、
複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、
前記第１ユニットにおいて前記一の方向に並ぶ前記板断片の間に介在し、前記一の方向における前記距離を調整する際に谷折りされる第２折り曲げ部と、
前記第２ユニットにおいて前記一の方向に並ぶ前記板断片の間に介在し、前記一の方向における前記距離を調整する際に山折りされる第３折り曲げ部とを有し、
前記他の方向において前記第２折り曲げ部の隣に前記第３折り曲げ部が配置され、
前記第３折り曲げ部には突起が形成されており、
該突起は、前記第１折り曲げ部及び前記第３折り曲げ部が折り畳まれた状態において、前記第１折り曲げ部を係止する位置に形成されており、
前記第１折り曲げ部が山折りされるとき、前記第３折り曲げ部は、山折りされながら、谷折り状態にある前記第２折り曲げ部上を前記他の方向に沿ってスライドすることを特徴とする定植板部材。
【請求項５】
前記第１折り曲げ部は、前記第１ユニット中の前記板断片と、前記他の方向において前記第１ユニットの両隣に位置する前記第２ユニット及び第３ユニットの各々の前記板断片との間に介在し、
前記第３折り曲げ部は、前記第２ユニット及び前記第３ユニットの各々において前記一の方向に並ぶ前記板断片の間に介在し、前記他の方向において前記第２折り曲げ部の両側に配置されていることを特徴とする請求項１乃至４のいずれか一項に記載の定植板部材。
【発明の詳細な説明】
【技術分野】
【０００１】
本発明は、植物栽培用の定植板部材に係り、特に、株間を変えることができる定植板部材に関する。
【背景技術】
【０００２】
複数の植物体を育てる際、育てるスペースを有効利用するために、種の段階においては狭い間隔で植物体を配置し、苗から大きくする段階においては植物体を植え替えて広い間隔で配置して、植物体の大きさに合わせて間隔を変える方法が一般的である。
しかし、その植え替え作業のために植物体を根っこごと掘り起こす場合には根を傷める可能性があり、また人手が必要であった。
一方、昨今、障害者の雇用の場として植物工場が注目されている。しかしながら実際には、腕を上げたまま行う作業や、腰を屈める作業が多く、特に車椅子使用者にとって負担の大きな作業となることがあった。
このことから、特許文献１には、植物体が載置される部位の間隔を変えることによって、植物体を植え替えることなく植物体の株間の変更が可能な定植板部材が提案されている。
【０００３】
具体的には、特許文献１に記載の定植板部材は、株間を伸縮する部材が山折り状に形成されている。この伸縮部材は、横方向に連続して配設されＶ字状に屈折して山折り状に形成された部材と、縦方向に断続的に配設されＶ字状に屈折して山折り状に形成された部材と、から構成されており、縦方向及び横方向に伸縮可能に構成されている。
また、横方向に隣接する伸縮部材が収縮した状態では、交互に異なる高さとなるように形成されている。このため、縦方向に収縮した場合に、横方向に隣接する伸縮部材の相互の干渉が回避されるというものである。
【先行技術文献】
【特許文献】
【０００４】
【特許文献１】特開２０１２−２２３１２０号公報
【発明の概要】
【発明が解決しようとする課題】
【０００５】
交互に異なる高さの伸縮部材を設けるようにすると、収縮状態時に各部材が重ならないようにずらす治具が必要となり、また、伸縮部材の大きさが異なるため、パーツを共通化できず汎用性が低かった。特に、定植板部材を置くスペースが使用先によって異なるため、そのスペースに適切な大きさに変更することが容易ではなかった。
このため、植物体を植え替えることなく植物体の株間の変更が可能であり、サイズ変更が容易な定植板部材が望まれていた。
本発明の目的は、上記課題を解決するためになされたもので、植物体を植え替えることなく植物体の株間の変更が可能であり、汎用性の高い定植板部材を提供することを目的とする。
【課題を解決するための手段】
【０００６】
前記課題は、請求項１に係る発明によれば、植物定植用の板断片を互いに直交する２つの方向に並べ、該２つの方向において前記板断片間の距離を調整することが可能な定植板部材であって、前記２つの方向のうちの一の方向に前記板断片を並べてなる板断片ユニットを、前記２つの方向のうちの他の方向に複数並べて備えており、複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、前記第１ユニットにおいて前記一の方向に並ぶ前記板断片の間に介在し、前記一の方向における前記距離を調整する際に谷折りされる第２折り曲げ部と、前記第２ユニットにおいて前記一の方向に並ぶ前記板断片の間に介在し、前記一の方向における前記距離を調整する際に山折りされる第３折り曲げ部とを有し、前記他の方向において前記第２折り曲げ部の隣に前記第３折り曲げ部が配置され、前記第２折り曲げ部と前記第３折り曲げ部とは、相互に隣接する面に傾斜した傾斜面をそれぞれ有し、前記第３折り曲げ部の前記傾斜面は、前記第１折り曲げ部が拡げられた状態で、前記第２折り曲げ部の前記傾斜面の上側に位置して対向して傾斜しており、前記第１折り曲げ部が山折りされるとき、前記第３折り曲げ部は、山折りされながら、谷折り状態にある前記第２折り曲げ部上を前記他の方向に沿ってスライドすること、により解決される。
【０００７】
このような構成によれば、他の方向において第２折り曲げ部の隣に第３折り曲げ部が配置されていることで、第１折り曲げ部が折り曲げられて、定植板部材が他方向に収縮する際に、隣接する第２折り曲げ部と第３折り曲げ部とが干渉することを回避することができる。このため、定植板部材は、円滑に伸縮変形することとなる。特に、山折り部と谷折り部は、向きを変えることで同じ部材で構成することができるため、部品を共通化して、汎用性を高めることができる。また、第１折り曲げ部を折り畳む際に、第２折り曲げ部と第３折り曲げ部との相互に隣接する面が傾斜していることで干渉が避けられ、その動作を円滑にすることができる。
【０００８】
また、前記第１折り曲げ部は、前記第１ユニット中の前記板断片と、前記他の方向において前記第１ユニットの両隣に位置する前記第２ユニット及び第３ユニットの各々の前記板断片との間に介在し、前記第３折り曲げ部は、前記第２ユニット及び前記第３ユニットの各々において前記一の方向に並ぶ前記板断片の間に介在し、前記他の方向において前記第２折り曲げ部の両側に配置されていると好ましい。
上記の構成であれば、山折りされる第３折り曲げ部を定植板部材の外側に配置することができ、ガイド棒が定植板部材の外側下方に取り付けられる場合であっても、第３折り曲げ部の折り曲げがガイド棒によって干渉されることがない。
【００１０】
また、植物定植用の板断片を互いに直交する２つの方向に並べ、該２つの方向において前記板断片間の距離を調整することが可能な定植板部材であって、前記２つの方向のうちの一の方向に前記板断片を並べてなる板断片ユニットを、前記２つの方向のうちの他の方向に複数並べて備えており、複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、前記第１ユニットにおいて前記一の方向に並ぶ前記板断片の間に介在し、前記一の方向における前記距離を調整する際に谷折りされる第２折り曲げ部と、前記第２ユニットにおいて前記一の方向に並ぶ前記板断片の間に介在し、前記一の方向における前記距離を調整する際に山折りされる第３折り曲げ部とを有し、前記他の方向において前記第２折り曲げ部の隣に前記第３折り曲げ部が配置され、前記板断片、前記第１折り曲げ部、前記第２折り曲げ部又は前記第３折り曲げ部は可撓性材料から成る部分を有し、当該部分が薄く形成されて折り目を形成しており、前記第１折り曲げ部が山折りされるとき、前記第３折り曲げ部は、山折りされながら、谷折り状態にある前記第２折り曲げ部上を前記他の方向に沿ってスライドするようにしてもよい。
このような構成によれば、薄く形成された部分を折り曲げ又は延ばすことで伸縮させることができ、接続部材を別個に設けることなく部品点数を削減することができ、その製造が容易となる。
【００１１】
また、植物定植用の板断片を互いに直交する２つの方向に並べ、該２つの方向において前記板断片間の距離を調整することが可能な定植板部材であって、前記２つの方向のうちの一の方向に前記板断片を並べてなる板断片ユニットを、前記２つの方向のうちの他の方向に複数並べて備えており、複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、前記第１ユニットにおいて前記一の方向に並ぶ前記板断片の間に介在し、前記一の方向における前記距離を調整する際に谷折りされる第２折り曲げ部と、前記第２ユニットにおいて前記一の方向に並ぶ前記板断片の間に介在し、前記一の方向における前記距離を調整する際に山折りされる第３折り曲げ部とを有し、前記他の方向において前記第２折り曲げ部の隣に前記第３折り曲げ部が配置され、前記板断片、前記第１折り曲げ部、前記第２折り曲げ部又は前記第３折り曲げ部は、蝶番で接続されて形成された折り目を有し、前記第１折り曲げ部が山折りされるとき、前記第３折り曲げ部は、山折りされながら、谷折り状態にある前記第２折り曲げ部上を前記他の方向に沿ってスライドするようにしてもよい。
上記の構成であれば、板断片、第１折り曲げ部、第２折り曲げ部又は第３折り曲げ部の折り目部分が蝶番で接続されていることで、各部材の取り外し、取り付けが可能となり、サイズ変更が容易で拡張性の高い定植板部材を提供することができる。
【００１２】
また、植物定植用の板断片を互いに直交する２つの方向に並べ、該２つの方向において前記板断片間の距離を調整することが可能な定植板部材であって、前記２つの方向のうちの一の方向に前記板断片を並べてなる板断片ユニットを、前記２つの方向のうちの他の方向に複数並べて備えており、複数の前記板断片ユニットのうち、第１ユニット中の前記板断片と、前記他の方向において前記第１ユニットの隣に位置する第２ユニットの前記板断片との間に介在し、前記他の方向における前記距離を調整する際に山折りされる第１折り曲げ部と、前記第１ユニットにおいて前記一の方向に並ぶ前記板断片の間に介在し、前記一の方向における前記距離を調整する際に谷折りされる第２折り曲げ部と、前記第２ユニットにおいて前記一の方向に並ぶ前記板断片の間に介在し、前記一の方向における前記距離を調整する際に山折りされる第３折り曲げ部とを有し、前記他の方向において前記第２折り曲げ部の隣に前記第３折り曲げ部が配置され、前記第３折り曲げ部には突起が形成されており、該突起は、前記第１折り曲げ部及び前記第３折り曲げ部が折り畳まれた状態において、前記第１折り曲げ部を係止する位置に形成されており、前記第１折り曲げ部が山折りされるとき、前記第３折り曲げ部は、山折りされながら、谷折り状態にある前記第２折り曲げ部上を前記他の方向に沿ってスライドすると好ましい。
上記構成によれば、第１折り曲げ部及び第３折り曲げ部が折り畳まれた状態において、突起が第１折り曲げ部に係止することで、第１折り曲げ部と第３折り曲げ部とを畳んだ状態で相互に固定することができ、第１折り曲げ部及び第３折り曲げ部が板断片に載置された植物に倒れ込むことを防止できる。
【発明の効果】
【００１３】
本発明の定植板部材によれば、円滑な伸縮変形が可能となり、部品を共通化して、汎用性を高めることができる。本発明の定植板部材によれば、部品点数を削減することができ、製造が容易となる。また、サイズ変更が容易で拡張性の高い定植板部材を提供することができる。また、伸縮動作を円滑にすることができる。更に、第１折り曲げ部及び第３折り曲げ部が板断片に載置された植物に倒れ込むことを防止できる。
【図面の簡単な説明】
【００１４】
【図１】本実施形態に係る定植板部材の伸長状態を示す斜視図である。
【図２】定植板部材の収縮状態の中途段階を示す斜視図である。
【図３】定植板部材を完全に収縮させた状態を示す斜視図である。
【図４】定植板部材を示す平面図である。
【図５】図４のV-V断面を示す模式図である。
【図６】（Ａ）は、切れ込みを有する可撓性材料から成る山折り部を示す模式図、（Ｂ）は、蝶番を有する山折り部を示す模式図である。
【図７】（Ａ）は、切れ込みを有する可撓性材料から成る谷折り部を示す模式図、（Ｂ）は、蝶番を有する谷折り部を示す模式図である。
【図８】定植板部材の各部についての大きさの関係性を説明するための模式図である。
【図９】（Ａ）は、図３のIXA-IXA断面を示す模式図、（Ｂ）は、図３のIXB-IXB断面を示す模式図である。
【図１０】係止突起によって第３折り曲げ部を係止している状態を示す拡大斜視図である。
【発明を実施するための形態】
【００１５】
以下、本発明の一実施形態について、図面を参照して説明する。なお、以下に説明する部材、配置等は、本発明を限定するものではなく、本発明の趣旨に沿って各種改変することができることは勿論である。
【００１６】
（定植板部材１の構成について）
本実施形態に係る植物栽培に用いられる定植板部材１は、図１乃至３に示すように、植物の成長に合わせて株間の調節可能に構成されたものである。
ここで、図１は、定植板部材１の伸長状態を示す斜視図、図２は、定植板部材１の収縮状態の中途段階を示す斜視図、図３は、定植板部材１を完全に収縮させた状態を示す斜視図である。なお、図１において、破線は、山折り線を意味し、二点鎖線は谷折り線を意味するものとする。
【００１７】
定植板部材１は、不図示の水槽上に配置され、水槽内に収容された養液により定植板部材１上に載置された植物体を育成栽培する水耕栽培に用いられるものである。具体的には、定植板部材１は、定植板部材１の四周に配された複数の土台１１と、土台１１上に固定されて不図示のポットが載置される板断片２と、定植板部材１を伸縮させるための横側山折り部３、縦側山折り部４ａ，４ｃ及び縦側谷折り部４ｂと、から主に構成される。
【００１８】
土台１１は、高さ方向に長尺な板状を成し、基本的には板断片２ごとに一つ、四隅の板断片２には二つ取り付けられている。特に、土台１１は、不図示のポットの載置を阻害しないように後述する植え穴２ａを避けた位置に取り付けられている。
また、隣接する土台１１には、後述する横側山折り部３、縦側山折り部４ａ，４ｃ又は縦側谷折り部４ｂが伸縮する際に、土台１１を所定の位置にガイドするためのガイド棒１２が水平に架け渡されている。具体的には、ガイド棒１２は、横側山折り部３、縦側山折り部４ａ，４ｃ又は縦側谷折り部４ｂが伸縮する方向に延在して架け渡されている。
【００１９】
板断片２は、板状であり水平向きに配置されており、種苗等の植物体が入れられた不図示のポットを保持するための植え穴２ａを中央に有する。本実施形態に係る定植板部材１は、本発明に係る一の方向に対応する図１に示す縦方向に４列、縦方向に垂直な方向であり、本発明に係る他の方向に対応する横方向に５列、マトリックス状に配設された計２０個の板断片２を備える。なお、定植板部材１は、その外周に板断片２が配されるように形成されている。また、縦方向に並ぶ横２列目及び４列目の板断片２群は、本発明に係る第１ユニットに相当し、また、縦方向に並ぶ横１列目、３列目、５列目の板断片２群は、本発明に係る第２ユニット又は第３ユニットに相当する。そして、これらの第１ユニット、第２ユニット及び第３ユニットは、板断片ユニットに相当する。
【００２０】
横側山折り部３は、本発明に係る第１折り曲げ部に対応し、縦方向に延在する山折りの折り目３０を真ん中に有し、横方向に伸縮可能に構成されている。また、横側山折り部３は、板断片２と縦方向長さが略同じ長さであり、横方向に隣接する板断片２のそれぞれに接続されている。この板断片２との接続部分を中心にして横側山折り部３が上側に折り曲がるように、その接続部分には、縦方向に延在する折り目である谷折り部２０ａが形成されている。
【００２１】
縦側谷折り部４ｂは、本発明に係る第２折り曲げ部に対応し、縦側山折り部４ａ，４ｃは、本発明に係る第３折り曲げ部に対応する。両者は、横方向に延在する山折りの折り目４０ａ又は谷折りの折り目４０ｂを真ん中に有して、縦方向に伸縮可能に構成されている。また、縦側山折り部４ａ，４ｃは、縦方向に隣接する板断片２に接続されている。この板断片２との接続部分を中心にして縦側山折り部４ａ，４ｃが上側に折り曲がるように、その接続部分には、縦方向に延在する折り目である山折り部２０ｂが形成されている。図１に示す伸長状態において、定植板部材１の横方向の両端に位置する縦側山折り部４ａの横方向長さは、横方向における板断片２の長さと横側山折り部３の半分の長さとを合計した長さである。つまり、縦側山折り部４ａは、板断片２と横側山折り部３の半分とに縦方向に隣接して配設されている。
【００２２】
また、図１に示す定植板部材１の伸長状態において、定植板部材１の横方向の端以外に位置する縦側山折り部４ｃは、横方向における板断片２の長さと横側山折り部３の長さとを合わせた長さを有する。また、縦側山折り部４ｃは、横側山折り部３の折り目部分から板断片２を挟んで横方向に隣接する横側山折り部３の折り目部分に縦方向に隣接して配設されている。
同様に、図１に示す定植板部材１の伸長状態において、縦側谷折り部４ｂは、横方向における板断片２の長さと横側山折り部３の長さとを合計した長さを有する。また、縦側谷折り部４ｂは、横側山折り部３の折り目部分から板断片２を挟んで横方向に隣接する横側山折り部３の折り目部分に縦方向に隣接して配設されている。
【００２３】
なお、定植板部材１の伸長状態において、横側山折り部３、縦側山折り部４ａ，４ｃ及び縦側谷折り部４ｂの相互に対向する面には、切れ目５が形成されており、この切れ目５により各部材が干渉せずに動作可能となっている。
【００２４】
特に、縦側山折り部４ａ，４ｃと縦側谷折り部４ｂとは、横方向において、山折り部と谷折り部が隣接して配置されている。このように配置されることによって、詳細については後述するが、横側山折り部３の屈曲動作が阻害されないこととなる。
なお、定植板部材１においては、横方向２列、縦方向２列の板断片２から構成されるものが、縦方向及び横方向に伸縮可能となる最小単位である。
【００２５】
また上記のように、定植板部材１の四周の土台１１には、ガイド棒１２が取り付けられている。縦側谷折り部４ｂが、ガイド棒１２に当接することによって、その屈曲動作が阻害されることがないように、定植板部材１の横側の両端部には、縦側山折り部４ａが配置されるのが好ましい。
したがって、定植板部材１の横側に並ぶ縦側山折り部４ａ，４ｃと縦側谷折り部４ｂとは交互に配置されており、その横方向両端に縦側山折り部４ａが配置される都合上、定植板部材１は奇数列となる。つまり、定植板部材１が横３列、縦２列の板断片２で構成されていると、ガイド棒１２によって屈曲動作が阻害されることがないため好適である。
【００２６】
（定植板部材１の動作について）
上記のように構成された定植板部材１は、図２及び図３に示すように、縦側山折り部４ａ，４ｃ及び縦側谷折り部４ｂの折り目の折り畳み度合を変更することで、板断片２の株間を変更することができる。
上記のように、縦側山折り部４ａ，４ｃと縦側谷折り部４ｂとが、山折り部と谷折り部が交互に隣接するように配置されている。このため、図２に示すように、横側山折り部３が折り曲がり横方向に収縮する際に、隣接する縦側山折り部４ａ，４ｃと縦側谷折り部４ｂと当接せず、その横方向への収縮動作を阻害することがない。
【００２７】
そして、図３に示す状態においては、横側山折り部３、縦側山折り部４ａ，４ｃ、及び縦側山折り部４ａ，４ｃの下方にある縦側谷折り部４ｂ（図９（Ａ）参照）のそれぞれが、折り目で折り返されて面合わせの状態となっている。更に、縦方向において、横側山折り部３の縦側端面６ｄが、縦側山折り部４ａ，４ｃの縦側の側面に当接している。また、収縮状態において隣接することとなる縦側山折り部４ａ，４ｃそれぞれの横側端面５ａ，５ｃが横方向において当接している。
【００２８】
このように、隣接する縦側山折り部４ａ，４ｃのそれぞれの横側端面５ａ，５ｃが当接していることにより、定植板部材１の内側において、板断片２の下方に開放する部位がなくなる。このため、定植板部材１は、収縮状態において、板断片２の下側にある縦側谷折り部４ｂが不図示の水槽にある養液に浸かる場合であっても、縦側谷折り部４ｂが上方に露出しないため、上方からの日光を遮ることができ、カビや苔の付着を抑制することができる。
【００２９】
実際に定植板部材１を使用する場合には、載置される植物体が種苗であるうちは図３に示す収縮状態としてコンパクトにし、植物体が成長するにつれて図２の状態、図１の状態に定植板部材１を伸長させることで、スペースの有効利用を図ることができる。
【００３０】
＜山折り部及び谷折り部について＞
次に、図４乃至図７を参照して、横側山折り部３、縦側山折り部４ａ，４ｃ及び縦側谷折り部４ｂについて説明する。ここで、図４は、定植板部材１を示す平面図、図５は、図４のV-V断面を示す模式図、図６（Ａ）は、切れ込み６ａを有する可撓性材料から成る山折り部を示す模式図、図６（Ｂ）は、蝶番６ｂを有する山折り部を示す模式図、図７（Ａ）は、切れ込み７ａを有する可撓性材料から成る谷折り部を示す模式図、図７（Ｂ）は、蝶番７ｂを有する谷折り部を示す模式図である。
【００３１】
（山折り部及び谷折り部の干渉について）
縦側山折り部４ａ，４ｃと縦側谷折り部４ｂとが伸長状態において横側で対向する横側端面５ａ，５ｂ，５ｃは、図５に示すように傾斜して形成されている。具体的には、縦側山折り部４ａ，４ｃにおける縦側谷折り部４ｂに対向する横側端面５ａ，５ｃは、鉛直面から下方に傾いて形成されている。一方、縦側谷折り部４ｂにおける縦側山折り部４ａ，４ｃに対向する横側端面５ｂは、鉛直面から上方に傾いて形成されている。
このように、横側端面５ａ，５ｂ，５ｃが傾斜して形成されていることで、図１に示す伸長状態にある定植板部材１を、横側山折り部３を折り畳むようにして収縮させる際に、その収縮動作を阻害しない。
【００３２】
具体的には、横側山折り部３を折り畳むようにして収縮させると、横側端面５ａ，５ｃと横側端面５ｂとが当接して、互いに上下逆側の垂直抗力が生じることとなる。このため、縦側山折り部４ａ，４ｃは自動的に上側に折り畳まれることとなり、縦側谷折り部４ｂは、自動的に下側に折り畳まれることとなる。
したがって、縦側山折り部４ａ，４ｃと縦側谷折り部４ｂとが当接することによる力が横側端面５ａ，５ｂ，５ｃが傾斜していることにより分散されて、横側山折り部３の収縮動作に干渉することを防止できる。更に、分散された上下方向の力によって、縦側山折り部４ａ，４ｃと縦側谷折り部４ｂが好適に折り畳まれる方向に動作することとなる。よって、定植板部材１は、横方向に円滑にスライドすることとなる。
【００３３】
（山折り部及び谷折り部の折り目について）
横側山折り部３又は縦側山折り部４ａ，４ｃの山折り部分において、図６（Ａ）に示すように、上面側に切れ込み６ａが形成されており、その周囲が可撓性材料から成るものであれば、切れ込み６ａ部分において山折りが可能となる。
同様に、板断片２と横側山折り部３、縦側山折り部４ａ，４ｃ若しくは縦側谷折り部４ｂとの接続部分又は縦側谷折り部４ｂの谷折り部分において、図７（Ａ）に示すように、下面側に切れ込み７ａが形成されており、その周囲が可撓性材料から成るものであれば、切れ込み７ａ部分において谷折りが可能となる。
このように、切れ込み６ａ，７ａによって、別個の部品を用意することなく、折り目を形成することができる。
【００３４】
一方、横側山折り部３又は縦側山折り部４ａ，４ｃの山折り部分において、図６（Ｂ）に示すように、下面側に蝶番６ｂが形成されていれば、その蝶番６ｂによって山折り部分の折り目が形成されることとなる。
同様に、板断片２と横側山折り部３、縦側山折り部４ａ，４ｃ若しくは縦側谷折り部４ｂとの接続部分又は縦側谷折り部４ｂの谷折り部分において、図７（Ｂ）に示すように、上面側に蝶番７ｂが形成されていれば、蝶番７ｂ部分によって谷折り部分の折り目が形成されることとなる。
このように、蝶番６ｂ，７ｂによって、可撓性材料部分を設けずとも折り目を形成することができる。特に蝶番６ｂ，７ｂによれば、折り目を形成するともに蝶番６ｂ，７ｂ部分で分離させることが可能となる。つまり、蝶番６ｂ，７ｂによって、板断片２、横側山折り部３、縦側山折り部４ａ，４ｃ及び縦側谷折り部４ｂを新たに取り付けることが可能となり、逆に取り外すことが可能となる。よって、定植板部材１を大きくしたり小さくしたりでき、所定大きさの図示せぬ水槽に対して取り付けやすくなり、汎用性を高めることができる。
【００３５】
なお、定植板部材１は、切れ込み６ａ，７ａによって折り目を形成する部位と、蝶番６ｂ，７ｂによって折り目を形成する部位との双方を備えるものであってもよい。特に、定植板部材１の外側において、蝶番６ｂ、７ｂによって折り目を形成するようにすると、水槽の大きさに応じて、板断片２、横側山折り部３、縦側山折り部４ａ，４ｃ又は縦側谷折り部４ｂの取り外し、取り付けが容易となり拡張性が良好となる。
【００３６】
（定植板部材の各部についての大きさの関係性について）
次に、定植板部材１の各部についての大きさの関係性を一般化した文字を用いて図８及び図９を参照して説明する。ここで、図８は、定植板部材１の各部についての大きさの関係性を説明するための模式図、図９（Ａ）は、図３のIXA-IXA断面を示す模式図、（Ｂ）は、図３のIXB-IXB断面を示す模式図である。
【００３７】
図８における定植板部材１について、ｎ行、Ｎ列でマトリックス状に形成されているものとして一般化して説明する。
Ｂは、板断片２の横方向の長さを示し、ｂは、板断片２の縦方向の長さを示す。
Ｃは、横側山折り部３が伸長した状態において、横側山折り部３の横幅の半分の長さである。換言すると、Ｃは、収縮状態において、横側山折り部３の板断片２からの突出高さなる長さである。
また、ｃは、縦側山折り部４ａ，４ｃ又は縦側谷折り部４ｂが伸長した状態において、これらの縦幅の半分の長さである。換言すると、ｃは、収縮状態において、縦側山折り部４ａ，４ｃの板断片２からの突出高さなる長さ、又は縦側谷折り部４ｂの板断片２からの窪み深さとなる長さである。
更に、Ｄは、縦側山折り部４ａ，４ｃ又は縦側谷折り部４ｂの横方向長さとなる。
なお、各添え字は、マトリックス状に配置された各部の位置を示すものである。以下に示す添え字のｌ，Ｌ，Ｍ，Ｎは自然数であり、１＜ｌ＜ｎ、１＜Ｌ＜Ｎ、１≦Ｍ＜Ｎ／２を満たし、ただし２Ｍ−１は、１以外の奇数を表すものとする。
【００３８】
定植板部材１の横方向における板断片２、横側山折り部３、縦側山折り部４ａ，４ｃ、縦側谷折り部４ｂとの長さの関係性は、次の数式１乃至４を満たす。
【数１】
0005952851.tif 000002
【数２】
0005952851.tif 000003
【数３】
0005952851.tif 000004
【数４】
0005952851.tif 000005
【００３９】
具体的には、数式１，２は、横方向両端部の板断片２、横側山折り部３及び縦側山折り部４ａにおいて成立する関係式である。
また、数式３は、奇数列、つまり縦側山折り部４ｃの列において成立する関係式であり、数式４は、偶数列、つまり縦側谷折り部４ｂの列において成立する関係式である。
上記数式１乃至４を満たすことで、定植板部材１を拡げた状態において、隙間なく平面的に形成することが可能となる。
【００４０】
更に、次の数式５乃至７を満たすようにして、定植板部材１を折り畳んだ状態において、縦側山折り部４ａ，４ｃのうち隣接する部材の横側端面５ａ，５ｃが当接するようにすると好ましい。
【００４１】
【数５】
0005952851.tif 000006
数式５は、定植板部材１が伸縮した状態において、縦方向に並ぶ横１列目にある縦側山折り部４ａの横側端面５ａが、横２列目にある板断片２の横方向真ん中に配置されるための式である。
【００４２】
【数６】
0005952851.tif 000007
数式６は、定植板部材１が伸縮した状態において、縦方向に並ぶ両横側端部以外の任意の位置にある縦側山折り部４ｃの横側端面５ｃのそれぞれが、横方向両側に隣接する板断片２の横方向真ん中に配置されるための式である。
【００４３】
【数７】
0005952851.tif 000008
数式７は、定植板部材１が伸縮した状態において、縦方向に並ぶ横Ｎ列目にある縦側山折り部４ａの横側端面５ａが、横Ｎ−１列目にある板断片２の横方向真ん中に配置されるための式である。
【００４４】
このように、隣接する縦側山折り部４ａ，４ｃの横側端面５ａ，５ｃが、板断片２の横方向真ん中において当接し、両者の隙間が無くなることで、板断片２よりも下方に配置される縦側谷折り部４ｂに対して上方からの光を遮断できる。このため、縦側谷折り部４ｂが図示せぬ水槽の養液に浸かる場合があってもカビや苔の付着を抑制することができる。
【００４５】
更に、定植板部材１が収縮した状態から伸長した状態にした場合に、縦方向及び横方向共に２倍の長さになると好ましい。このようにするために、次に示す数式８乃至１３を満たすようにすればよい。
【００４６】
【数８】
0005952851.tif 000009
数式８の左辺は、定植板部材１が伸長状態にあるときの縦方向の両端部以外の任意の１つの板断片２の縦方向長さと１つの横側山折り部３の縦方向長さとを合わせた長さを示すものである。一方、右辺は、定植板部材１が収縮状態にあるときの縦方向の両端部以外の任意の１つの板断片２の縦方向長さと１つの横側山折り部３の縦方向長さとを合わせた長さを２倍したものである。
【００４７】
そして、この数式８をまとめると、次の数式９となる。
【数９】
0005952851.tif 000010
上記の数式９を満たすことで、定植板部材１が収縮状態から伸長状態になったときに、縦方向の両端部以外の任意の１つの板断片２の縦方向長さと１つの横側山折り部３の縦方向長さとを合わせた長さは２倍になる。
【００４８】
【数１０】
0005952851.tif 000011
数式１０の左辺は、定植板部材１が伸長状態にあるときの横方向の両端部以外の任意の１つの板断片２の横方向長さと１つの横側山折り部３の横方向長さとを合わせた長さを示すものである。一方、右辺は、定植板部材１が収縮状態にあるときの横方向の両端部以外の任意の１つの板断片２の横方向長さと１つの横側山折り部３の横方向長さとを合わせた長さを２倍したものである。
【００４９】
そして、この数式１０をまとめると、次の数式１１となる。
【数１１】
0005952851.tif 000012
上記の数式１１を満たすことで、定植板部材１が収縮状態から伸長状態になったときに、横方向の両端部以外の任意の１つの板断片２の横方向長さと１つの横側山折り部３の横方向長さとを合わせた長さは２倍になる。
【００５０】
【数１２】
0005952851.tif 000013
数式１２の左辺は、定植板部材１の縦方向の両端部の板断片２の縦方向長さを合わせた長さを示すものである。一方、右辺は、縦方向の両端部以外の任意の１つの板断片２の縦方向長さを示すものである。
数式９及び数式１２を満たすことで、定植板部材１の全体の縦幅を、収縮状態から伸長状態にした場合に２倍の長さとすることが可能となる。
【００５１】
【数１３】
0005952851.tif 000014
数式１３の左辺は、定植板部材１の横方向の両端部の板断片２の横方向長さを合わせた長さを示すものである。一方、右辺は、横方向の両端部以外の任意の１つの板断片２の横方向長さを示すものである。
数式１１及び数式１３を満たすことで、定植板部材１の全体の横幅を、収縮状態から伸長状態にした場合に２倍の長さとすることが可能となる。
【００５２】
このように、収縮状態の定植板部材１の長さに比して伸長状態の定植板部材１の長さを２倍の長さにすることで、定植板部材１が収縮した状態で利用する場合と伸長した状態で利用する場合に占有するスペースの計算が容易となり、配置設計が容易となる。
【００５３】
更に、定植板部材１を収縮させた状態における形態を安定させるために、定植板部材１は、図１０に示すように、縦側山折り部４ａ，４ｃの上面に係止突起１３を備えると好ましい。
係止突起１３は、断面半円状であり、縦側山折り部４ａ，４ｃが伸長した状態において縦方向に延在して形成されている。係止突起１３は、横方向両端の縦側山折り部４ａにおいて横側山折り部３の厚さ２ｔだけ離間して二本組で二箇所、両端以外の縦側山折り部４ｃにおいて四箇所形成されている。
【００５４】
具体的には、縦方向に隣接する板断片２における横側の折り目に、係止突起１３の外縁が沿うように一本ずつ形成されており、更に、その一本から板断片２から横方向外側に２ｔだけ離れた位置に一本ずつ形成されている。
そして、図１０に示す横側山折り部３及び縦側山折り部４ａ，４ｃが完全に屈折した状態において、一組の係止突起１３が屈折した横側山折り部３を挟持することとなる。
このように、横側山折り部３が係止突起１３によって挟持されることによって、その姿勢が安定する。更に、縦側山折り部４ａ，４ｃは、姿勢の安定した横側山折り部３に縦方向両側で挟み込まれることによって、姿勢が安定することとなる。つまり、相互の姿勢が安定することとなり、横側山折り部３及び縦側山折り部４ａ，４ｃが植え穴２ａに保持されたポットにある植物体側に倒れ込むことを防止することができる。
【００５５】
なお、係止突起１３は、上記のように半円状の断面で延在している形状を有しているものであると、横側山折り部３の屈曲動作を妨げにくいため好適であるが、本願発明は、横側山折り部３を挟持できればこの形状に限定されない。例えば、断面台形状その他の多角形状であってもよく、更には、２ｔの間隔を空けて並列して設けられた突起であってもよい。
【符号の説明】
【００５６】
１  定植板部材
２  板断片
２ａ  植え穴
３  横側山折り部（第１折り曲げ部）
４ａ，４ｃ  縦側山折り部（第３折り曲げ部）
４ｂ  縦側谷折り部（第２折り曲げ部）
５  切れ目
５ａ，５ｂ，５ｃ  横側端面
５ｄ  縦側側面
６ａ，７ａ  切れ込み
６ｂ，７ｂ  蝶番
１１  土台
１２  ガイド棒
１３  係止突起（突起）
２０ａ，２０ｂ  谷折り部
２０ｃ  山折り部
３０，４０ａ，４０ｂ  折り目
【図１】
0005952851.tif 000015
【図２】
0005952851.tif 000016
【図３】
0005952851.tif 000017
【図４】
0005952851.tif 000018
【図５】
0005952851.tif 000019
【図６】
0005952851.tif 000020
【図７】
0005952851.tif 000021
【図８】
0005952851.tif 000022
【図９】
0005952851.tif 000023
【図１０】
0005952851.tif 000024